【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
織布であって、表面（２）および裏面（３）と、緯糸方向（Ｈ）に延びる複数のピック（６）と、複数の経糸（４、５）であって、経糸方向（Ｖ）に延び、ピック（６）をそれらの表側（６２）において迂回して上部分（４３、５３）を画定し、ピック（６）をそれらの裏側（６３）において迂回して下部分（４１、５１）を画定する、複数の経糸とを備え、前記複数の経糸（４、５）が、表側経糸（４）および裏側経糸（５）を含み、前記裏側経糸（５）の前記下部分が、前記表側経糸（４）の前記下部分（４１）より多くのピック（６）を迂回する、織布。
【請求項２】
前記複数の裏側経糸（５）の前記下部分（５１）が、３個以上のピック（６）および／または４１個未満のピック（６）を迂回し、ならびに／または複数の裏側経糸（５）の前記下部分が、前記表側経糸（４）の前記下部分（４１）より、少なくとも１個、２個、３個、または４個および／または最大４０個多いピックを迂回し、ならびに／または前記複数の裏側経糸（５）の１つの前記下部分（５１）によって迂回されるピック（６）の数の、前記裏側経糸（５）の前記上部分（５３）によって迂回されるピック（６）の数に対するループ比が、２：１を超え、および／または４０：１未満である、請求項１に記載の織布。
【請求項３】
前記上部分（４３、５３）および前記下部分（５１、５３）によって迂回されるすべてのピック（６）の合計に関連する１つの経糸（４、５）の前記上部分（４３、４３）および前記下部分（５１、５３）の合計が、前記糸の織り緊密性を規定し、前記布は、前記複数の表側糸（４）が、前記複数の裏側経糸（５）より大きい織り緊密性を有し、ならびに／または前記複数の表側経糸（４）が、前記複数の裏側経糸（５）と同じ収縮比、または前記複数の裏側経糸（５）より大きい収縮比を有する、請求項１または２に記載の織布。
【請求項４】
前記複数の裏側糸（５）の前記上部分（５３）が、前記複数の裏側経糸（５）の１つの前記下部分（５１）よりも少ないピック（６）を迂回し、ならびに／または前記複数の裏側経糸（５）の１つの前記上部分（５３）が、４個を超えないピック（６）を迂回し、ならびに／または前記複数の表側経糸（４）の前記上部分（４３）が、１から５個のピック（６）を迂回する、請求項１から３のいずれか一項に記載の織布。
【請求項５】
裏側経糸（５）と少なくとも同じ数の表側経糸（４）を含む、請求項１から４のいずれか一項に記載の織布。
【請求項６】
前記複数の裏側経糸（５）の１つが、少なくとも１つの表側経糸（４）にすぐ隣接して緯糸方向（Ｈ）に配置される、請求項１から５のいずれか一項に記載の織布。
【請求項７】
前記複数の裏側経糸（５）の少なくとも１つが、前記複数の表側経糸（４）の少なくとも１つよりも細い、請求項１から６のいずれか一項に記載の織布。
【請求項８】
前記複数の表側経糸（４）の１つの前記下部分（４１）が、前記表側経糸（４）の前記上部分（４３）よりも少ないピック（６）を迂回し、ならびに／または前記複数の表側経糸（４）の１つの前記下部分（４１）が、４個を超えないピック（６）を迂回し、ならびに／または前記複数の表側経糸（４）の１つの前記下部分（４１）によって迂回されるピック（６）の、前記表側経糸（４）の前記上部分（４１）によって迂回される前記ピック（６）に対する比が、１：１以下である視認比を規定する、請求項１から７のいずれか一項に記載の織布。
【請求項９】
織布であって、
表面（２）および裏面（３）と、緯糸方向（Ｈ）に延びる複数のピック（６）と、複数の経糸（４、５）であって、経糸方向（Ｖ）に延び、ピック（６）をそれらの表側（６２）において迂回して上部分（４３、５３）を画定し、ピック（６）をそれらの裏側（６３）において迂回して下部分（４１、５１）を画定し、表側経糸（４）および裏側経糸（５）を含む、複数の経糸（４、５）と
を備え、
前記表側経糸（４）および前記裏側経糸（５）は、前記裏側経糸（５）の下部分（５１）が前記表側経糸（４）の前記下部分（４１）より緩く延びるように設計されおよび／または製織される、織布。
【請求項１０】
織布であって、
表面（２）および裏面（３）と、緯糸方向（Ｈ）に延びる複数のピック（６）と、複数の経糸（４、５）であって、ピック（６）をそれらの表側（６２）において迂回して上部分（４３、５３）を画定し、ピック（６）をそれらの裏側（６３）において迂回して下部分（４１、５１）を画定し、表側経糸（４）および裏側経糸（５）を含む、複数の経糸（４、５）と
を備え、
前記表側経糸（４）および前記裏側経糸（５）は、前記表側経糸（４）が密接に製織された表側経糸配置を形成し、前記裏側経糸（５）を前記布の前記表面（２）から構造的に隔離するように設計されおよび／または製織される、織布。
【請求項１１】
前記表側経糸（４）が、軸方向中心線（Ａ）を有し、前記軸方向中心線（Ａ）を通って前記表側経糸（４）の前記上部分（４３）に沿って延びる中央経糸／緯糸面（Ｃ）を画定し、前記裏側経糸（５）が、軸方向中心線（Ｂ）を有し、前記裏側経糸（５）の軸方向中心線（Ｂ）の、ほとんどまたはすべてが、前記中央経糸／緯糸面（Ｃ）の裏側を延びる、請求項１０に記載の織布。
【請求項１２】
織布を製造するための方法であって、
ａ．ピック（６）を製織するための１つまたは複数の緯糸および複数の経糸（４、５）を提供するステップと、
ｂ．前記複数の経糸（４、５）が前記ピック（６）をそれらの表側において迂回して上部分（４３、５３）を形成し、ピック（６）をそれらの裏側において迂回して下部分（４１、５１）を形成するように前記布を製織するステップであって、複数の表側経糸（４）および複数の裏側経糸（５）が、前記複数の表側経糸（４）の前記下部分（４１）が裏側経糸（５）の前記下部分（５１）より少ないピック（６）を迂回するように、実現される、製織するステップと
を含む、織布を製造するための方法。
【請求項１３】
前記織布を収縮させるステップをさらに含み、前記裏側経糸（５）の前記下部分（５１）が、前記布の裏面（３）にループを形成し、ならびに／または前記布が、前記織布が織機から取り出された後、前記織布が２緯糸／ｃｍから６０緯糸／ｃｍの間の緯糸密度を有するように製織される、請求項１２に記載の織布を製造するための方法。
【請求項１４】
前記複数の経糸（４、５）を提供するステップが、前記複数の表側経糸（４）について前記複数の裏側経糸（５）とは異なる材料を選択することを含む、請求項１２または１３に記載の織布を製造するための方法。
【請求項１５】
前記複数の表側経糸（４）が、製織中および／または収縮中、前記複数の裏側経糸（５）の表側に少なくとも部分的に配置されるように前記布が製織される、請求項１２から１４のいずれか一項に記載の織布を製造するための方法。
【請求項１６】
織布を製造するための方法であって、
ａ．ピック（６）を製織するための１つまたは複数の緯糸および複数の経糸（４、５）を提供するステップと、
ｂ．前記複数の経糸（４、５）が前記ピック（６）をそれらの表側において迂回して上部分（４３、５３）を形成し、ピック（６）をそれらの裏側において迂回して下部分（４１、５１）を形成するように前記布を製織するステップであって、複数の表側経糸（４）および複数の裏側経糸（５）が実現される、製織するステップと
を含み、
前記表側経糸（４）が、前記裏側経糸（５）の前記下部分（５１）が前記布の裏面（３）において延びるループであるように選択されおよび／または製織され、前記ループは、前記表側経糸（４）の前記下部分（４１）より緩い、織布を製造するための方法。
【請求項１７】
織布を製造するための方法であって、
ａ．ピック（６）を製織するための１つまたは複数の緯糸および複数の経糸（４、５）を提供するステップと、
ｂ．前記複数の経糸（４、５）が前記ピック（６）をそれらの表側において迂回して上部分（４３、５３）を形成し、ピック（６）をそれらの裏側において迂回して下部分（４１、５１）を形成するように前記布を製織するステップであって、複数の表側経糸（４）および複数の裏側経糸（５）が実現される、製織するステップと
を含み、
経糸（４、５）が、前記表側経糸（４）が互いに横方向に接触し、密接に製織された表側経糸配置を形成し、それによって前記裏側経糸（５）を前記布の表面（２）から構造的に隔離するように選択されおよび／または製織される、織布を製造するための方法。